(57)【特許請求の範囲】
【請求項１】
装置本体と、
前記装置本体に固定された回路基板と、
前記回路基板の一方の面に設けられ、当該回路基板とは反対側に発光面を有し、当該発光面から原稿を照射するための光を発する発光体と、
前記発光体を挟んで前記回路基板と対向する位置に設けられ、前記発光面から発せられた光が内部を通過する導光体と、
付勢部と、
前記装置本体に固定された支持部と、
前記付勢部からの力を受け前記発光体から前記導光体に向かう向きに押圧される第１部分と、当該第１部分が押圧されることにともない前記支持部からの反力を受けながら当該導光体を当該発光体の前記発光面に押し付ける第２部分とを有する押圧部と、
原稿からの光を受け原稿の画像を読み取る読取部と
を備えることを特徴とする画像読み取り装置。
【請求項２】
前記回路基板の他方の面に設けられ、当該回路基板の熱を放熱する放熱部を有し、
前記押圧部の前記第１部分が前記付勢部に押圧されることにともない、当該押圧部の前記第１部分と一体に形成され、前記放熱部を挟んで前記回路基板と対向する位置に設けられた、当該押圧部の第３部分が、当該放熱部を当該回路基板に押し付けることを特徴とする請求項１記載の画像読み取り装置。
【請求項３】
前記付勢部は、一端が前記回路基板の前記一方の面に設けられ、他端が前記押圧部の前記第１部分を前記発光体から前記導光体に向かう向きに押圧することを特徴とする請求項１記載の画像読み取り装置。
【請求項４】
装置本体と、
前記装置本体に固定された回路基板と、
前記回路基板の一方の面に設けられ、当該回路基板とは反対側に発光面を有し、当該発光面から原稿を照射するための光を発する発光体と、
前記発光体を挟んで前記回路基板と対向する位置に設けられ、前記発光面から発せられた光が内部を通過する導光体と、
付勢部と、
前記付勢部からの力を受け前記発光体から前記導光体に向かう向きに押圧される被押圧部と、前記装置本体に固定された支点と、当該導光体を当該発光体の前記発光面に押し付ける作用点とを有する梃子部材と、
原稿からの光を受け原稿の画像を読み取る読取部と
を備えることを特徴とする画像読み取り装置。
【請求項５】
装置本体と、
前記装置本体に固定された回路基板と、
前記回路基板の一方の面に設けられ、当該回路基板とは反対側に発光面を有し、当該発光面から原稿を照射するための光を発する発光体と、
前記発光体を挟んで前記回路基板と対向する位置に設けられ、前記発光面から発せられた光が内部を通過する導光体と、
付勢部と、
前記装置本体に固定された支持部と、
前記付勢部からの力を受け前記発光体から前記導光体に向かう向きに押圧される第１部分と、当該第１部分が押圧されることにともない前記支持部からの反力を受けながら当該導光体を当該発光体の前記発光面に押し付ける第２部分とを有する押圧部と
を備えることを特徴とする光学ユニット。
【発明の詳細な説明】
【技術分野】
【０００１】
本発明は、画像読み取り装置および光学ユニットに関する。
【背景技術】
【０００２】
特許文献１には、製造コストを低く抑えつつ、入射面から入射した入射光が出射面に到達する前に導光体外部へ出てしまうのを抑制するため、光源部と、入射した光を特定の方向に案内して出射する透光性材料からなる導光体とを備えている。この導光体は、光源部からの光が入射される入射平面と、入射平面から入射した入射光を照射対象に向けて出射する出射平面と、入射平面と出射平面とを連結する連結面とを有しており、この連結面の少なくとも一部分を、この部分が入射平面の法線方向に対して平行な平面であるとしたならば臨界角よりも小さい角度でその平面に到達することになる入射光の一部又は全部が全反射するように、入射平面の法線方向に対して傾斜させている。
【先行技術文献】
【特許文献】
【０００３】
【特許文献１】特開２０１０−１７８３５０号公報
【発明の概要】
【発明が解決しようとする課題】
【０００４】
本発明は、装置本体に歪みが生じた場合にも発光体と導光体との間に間隙が形成されることを抑制する。
【課題を解決するための手段】
【０００５】
請求項１記載の発明は、装置本体と、前記装置本体に固定された回路基板と、前記回路基板の一方の面に設けられ、当該回路基板とは反対側に発光面を有し、当該発光面から原稿を照射するための光を発する発光体と、前記発光体を挟んで前記回路基板と対向する位置に設けられ、前記発光面から発せられた光が内部を通過する導光体と、付勢部と、前記装置本体に固定された支持部と、前記付勢部からの力を受け前記発光体から前記導光体に向かう向きに押圧される第１部分と、当該第１部分が押圧されることにともない前記支持部からの反力を受けながら当該導光体を当該発光体の前記発光面に押し付ける第２部分とを有する押圧部と、原稿からの光を受け原稿の画像を読み取る読取部とを備えることを特徴とする画像読み取り装置である。
【０００６】
請求項２記載の発明は、前記回路基板の他方の面に設けられ、当該回路基板の熱を放熱する放熱部を有し、前記押圧部の前記第１部分が前記付勢部に押圧されることにともない、当該押圧部の前記第１部分と一体に形成され、前記放熱部を挟んで前記回路基板と対向する位置に設けられた、当該押圧部の第３部分が、当該放熱部を当該回路基板に押し付けることを特徴とする請求項１記載の画像読み取り装置である。
請求項３記載の発明は、前記付勢部は、一端が前記回路基板の前記一方の面に設けられ、他端が前記押圧部の前記第１部分を前記発光体から前記導光体に向かう向きに押圧することを特徴とする請求項１記載の画像読み取り装置である。
【０００７】
請求項４記載の発明は、装置本体と、前記装置本体に固定された回路基板と、前記回路基板の一方の面に設けられ、当該回路基板とは反対側に発光面を有し、当該発光面から原稿を照射するための光を発する発光体と、前記発光体を挟んで前記回路基板と対向する位置に設けられ、前記発光面から発せられた光が内部を通過する導光体と、付勢部と、前記付勢部からの力を受け前記発光体から前記導光体に向かう向きに押圧される被押圧部と、前記装置本体に固定された支点と、当該導光体を当該発光体の前記発光面に押し付ける作用点とを有する梃子部材と、原稿からの光を受け原稿の画像を読み取る読取部とを備えることを特徴とする画像読み取り装置である。
請求項５記載の発明は、装置本体と、前記装置本体に固定された回路基板と、前記回路基板の一方の面に設けられ、当該回路基板とは反対側に発光面を有し、当該発光面から原稿を照射するための光を発する発光体と、前記発光体を挟んで前記回路基板と対向する位置に設けられ、前記発光面から発せられた光が内部を通過する導光体と、付勢部と、前記装置本体に固定された支持部と、前記付勢部からの力を受け前記発光体から前記導光体に向かう向きに押圧される第１部分と、当該第１部分が押圧されることにともない前記支持部からの反力を受けながら当該導光体を当該発光体の前記発光面に押し付ける第２部分とを有する押圧部とを備えることを特徴とする光学ユニットである。
【発明の効果】
【０００８】
請求項１記載の発明によれば、装置本体に歪みが生じた場合にも発光体と導光体との間に間隙が形成されることを抑制することができる。
請求項２記載の発明によれば、本構成を有しない場合と比較して、回路基板が撓むことを抑制できる。
請求項３記載の発明によれば、本構成を有しない場合と比較して、回路基板が撓むことを抑制できる。
【０００９】
請求項４記載の発明によれば、装置本体に歪みが生じた場合にも発光体と導光体との間に間隙が形成されることを抑制することができる。
請求項５記載の発明によれば、装置本体に歪みが生じた場合にも発光体と導光体との間に間隙が形成されることを抑制することができる。
【図面の簡単な説明】
【００１０】
【図１】本実施の形態が適用される画像読み取り装置の構成の一例を示す側面図である。
【図２】読み取りユニットにおける光学部品の構成の一例を示す図である。
【図３】読み取り部の構成の一例を示す斜視図である。
【図４】読み取りユニットの構成の一例を示す斜視図である。
【図５】保持機構の構成の一例を示す図である。
【図６】梃子周辺の構成の一例を示す図である。
【図７】本実施の形態の変形例を示す図である。
【発明を実施するための形態】
【００１１】
＜画像読み取り装置１の構成＞
以下、添付図面を参照して、本発明の実施の形態について詳細に説明する。
図１は、本実施の形態が適用される画像読み取り装置１の構成の一例を示す側面図である。なお、図１は、画像読み取り装置１をフロント側から見た図である。
この画像読み取り装置１は、固定された原稿の画像を読み取るための機構が設けられた本体部１０と、本体部１０に対して開閉自在に取り付けられ、閉じられた際に本体部１０に原稿を固定する原稿固定部材６０とを備える。また、本体部１０は、原稿の画像を読み取る読み取り部２０と、原稿を積載する原稿積載部５０とを有している。
【００１２】
これらのうち、読み取り部２０は、底面および壁面を有し図中上方に向かう部位に開口が形成された下部筐体２１と、下部筐体２１の内側に配置される読み取りユニット４０とを備えている。また、読み取り部２０は、下部筐体２１の内側において読み取りユニット４０を副走査方向ＳＳおよびその逆方向に案内するガイドシャフト２３と、読み取りユニット４０をガイドシャフト２３に沿って移動させる駆動モータ２４とを備えている。
ここで、読み取りユニット４０は、光学系３０（詳細は後述する）を内部に有し、光を照射するとともに原稿に向けて光を導く照射導光部２２（詳細は後述する）を備える。さらに、読み取りユニット４０は、この照射導光部２２に対して読み取りユニット４０の副走査方向ＳＳの下流側に、原稿から反射された光を受ける受光部３６（詳細は後述する）を備える。付言すると、本実施の形態における照射導光部２２と受光部３６とは一体として設けられており、照射導光部２２と受光部３６とは読み取りユニット４０を副走査方向ＳＳおよびその逆方向にともに移動するように構成されている。
【００１３】
また、読み取り部２０は、一端側が下部筐体２１に取り付けられるとともに、他端側が読み取りユニット４０に取り付けられ読み取りユニット４０との間で電力や信号のやりとりを行う複数の電線を含むケーブルユニット２５を備えている。
そして、読み取り部２０の読み取りユニット４０は、通常、図１に示す基準位置Ｐ１に位置しており、原稿の読み取り動作に伴って副走査方向ＳＳに向けて移動することで副走査方向ＳＳの最下流側となる終了位置Ｐ２に到達し、その後基準位置Ｐ１まで戻る。なお、以下の説明においては、図中手前側から奥側に向かう方向を主走査方向ＦＳと呼ぶ。
【００１４】
一方、原稿積載部５０は、額縁状の形状を有し、下部筐体２１に設けられた開口に対峙して取り付けられることで、下部筐体２１とともに筐体を構成する上部枠体５１と、上部枠体５１の中央部に取り付けられるとともに原稿の積載に用いられる原稿台５２とを有している。原稿台５２は、可視光に対する光透過性を有するガラス材で構成されており、読み取り部２０に設けられた読み取りユニット４０の移動範囲をカバーするように配置されている。
【００１５】
＜読み取りユニット４０の光学部品の構成＞
次に、光学ユニットの一例であり読み取りユニット４０における光学部品の構成を説明する。なお、図２は、読み取りユニット４０における光学部品の構成の一例を示す図である。
まず、上述のように読み取りユニット４０は、照射導光部２２と、この照射導光部２２に対して副走査方向ＳＳの下流側に位置している受光部３６とを有する。
そして、照射構造及び導光構造の一例である照射導光部２２は、光学系３０を備えている。具体的には、照射導光部２２は、可視光を発光する発光部３１を備えている。この発光部３１は、複数の発光素子（例えばＬＥＤ（Light Emitting Diode））を主走査方向ＦＳに並べて配置した発光素子列３１ａと、発光素子列３１ａがはんだ付けされるとともに読み取りユニット４０に固定される発光側基板３１ｂとを有する。また、照射導光部２２は、発光部３１から出力される指向性が高い光を拡散させるとともに原稿台５２側および後述する反射体３３に導く導光体３２と、発光部３１から導光体３２を介して出力された光の一部を、原稿台５２側に向けて反射する反射体３３とを備えている。さらに、照射導光部２２は、発光部３１から出力され、原稿台５２を介して原稿Ｍに照射され、この原稿Ｍから反射して原稿台５２を通過した反射光を、順次反射するミラー３４（第１ミラー３４ａ、第２ミラー３４ｂ、第３ミラー３４ｃ、第４ミラー３４ｄおよび第５ミラー３４ｅ）を備えている。さらにまた、照射導光部２２は、第５ミラー３４ｅにて反射された光を集光するレンズ３５を備えている。
【００１６】
一方、受光部３６は、照射導光部２２とは別体として設けられ、レンズ３５にて集光されることで結像された光を受光するよう構成されている。すなわち、複数の受光素子を主走査方向ＦＳに並べて配置した受光素子列（例えばＣＣＤ（Charge Coupled Device）イメージセンサ）３６ａと、受光素子列３６ａが実装されるとともに読み取りユニット４０に固定される受光側基板３６ｂとを有する。
なお、本実施の形態における読み取りユニット４０の光学系３０では、原稿Ｍからの反射光の経路を交差させる所謂折り畳み光学系を用いることで、読み取りユニット４０の小型化を図っている。
【００１７】
＜読み取り部２０の構成＞
図３は、読み取り部２０の構成の一例を示す斜視図である。なお、図１におけるフロント側は、図３における奥側に対応している。したがって、図３に示す読み取りユニット４０は、図１に示す基準位置Ｐ１に位置していることになる。
【００１８】
本実施の形態において、ガイドシャフト２３は、下部筐体２１の内部且つリア側（図３においては手前側）に、副走査方向ＳＳに沿って配置されており、その両端が下部筐体２１に固定されている。また、下部筐体２１の内部且つガイドシャフト２３よりもリア側であって、副走査方向ＳＳの下流側に、駆動モータ２４が取り付けられている。そして、下部筐体２１のリア側且つ外側の端面には、画像読み取り装置１と外部に設けられた機器とを電気的に接続するためのインタフェース部２６が取り付けられている。
【００１９】
また、ケーブルユニット２５は、下部筐体２１の内部且つフロント側（図３においては奥側）に、副走査方向ＳＳに沿って配置されている。そして、ケーブルユニット２５に設けられた第１コネクタ２５ｂは、下部筐体２１の内部且つフロント側であって、副走査方向ＳＳの下流側端部に配置されている。これに対し、ケーブルユニット２５に設けられた第２コネクタ２５ｃは、下部筐体２１の内側に配置された読み取りユニット４０における受光部３６のフロント側に取り付けられている。なお、第１コネクタ２５ｂは、図示しない接続機構等を介して、インタフェース部２６と電気的に接続される。
【００２０】
＜読み取りユニット４０の構成＞
ここで、図３及び図４を参照しながら読み取りユニット４０の構成を説明する。図４は、読み取りユニット４０の構成の一例を示す斜視図である。
まず、読み取りユニット４０の照射導光部２２は、図２に示す照射導光部２２の光学系３０（発光部３１、導光体３２、反射体３３、ミラー３４、レンズ３５等）と、発光部３１と導光体３２とを保持する保持機構１００（詳細は後述する）とを内蔵する光学筐体４１を有している。この光学筐体４１は、フロント側における副走査方向ＳＳの下流側に切欠部４１ａが形成される。また、本実施の形態における光学筐体４１は、非導電性部材（例えば、ＰＰ（ポリプロピレン）、ＰＳ（ポリスチレン）、ＰＯＭ（ポリアセタール樹脂）等のプラスチック）で形成される。
【００２１】
一方、照射導光部２２と一体に設けられる受光部３６は、受光側基板３６ｂと、この受光側基板３６ｂを覆う基板筐体３６ｃとを有している。本実施の形態においては、基板筐体３６ｃは、光学筐体４１に設けられた切欠部４１ａからみて副走査方向ＳＳの下流側に設けられている。また、基板筐体３６ｃは、受光側基板３６ｂの一部が、基板筐体３６ｃからフロント側に向かい突出（露出）するような寸法で構成されている。さらに、受光側基板３６ｂ及び基板筐体３６ｃは、ボルト３７によって読み取りユニット４０に取り付けられる。なお、このボルト３７を回転させ緩めることによって、受光側基板３６ｂの位置や角度が調整される。
【００２２】
ここで、照射導光部２２の光学系３０（図２参照）は、上述のように光学筐体４１の内部に設けられ、受光側基板３６ｂは光学筐体４１の外部に設けられている。したがって、画像読み取り装置１の動作に伴い、受光側基板３６ｂに設けられる受光素子列３６ａの温度が上昇した場合であっても、照射導光部２２の光学系３０の温度が上昇することは抑制される。付言すると、温度上昇に伴い、光学系３０の各部材間における光軸方向の距離が変化することや、熱の影響により導光体３２やレンズ３５の屈折率が変化すること等が抑制される。また、光学筐体４１の内部に受光側基板３６ｂが設けられる場合と比較して、光学筐体４１の外部に受光側基板３６ｂが設けられていることから、放熱がより円滑となり受光素子列３６ａの温度上昇が抑制される。
【００２３】
基板筐体３６ｃは、導電性部材で形成されており、例えば、ステンレスやアルミニウム等の金属からなる。この基板筐体３６ｃは、ボルト３７等を介してグラウンド接地されている。また、基板筐体３６ｃは、本実施の形態においては、第１の筐体部材３６ｃ１及び第２の筐体部材３６ｃ２は、それぞれ板状部材（板金）を折り曲げられて形成されており、図４における受光側基板３６ｂを覆うように構成されている。
【００２４】
＜保持機構１００の構造＞
次に、図５を参照しながら保持機構１００の構成について説明をする。図５は、保持機構１００の構成の一例を示す図である。なお、図５（ａ）は保持機構１００を上面側から見た図であり、図５（ｂ）は保持機構１００をフロント側から見た図である。また、図５（ｂ）においては、設置板７３ｂおよび光学筐体４１等の記載を省略している。
【００２５】
まず、上述のように発光素子列３１ａは発光側基板３１ｂに固定されており、この発光側基板３１ｂは光学筐体４１に固定されている。また、導光体３２は、発光素子列３１ａと接触して配置されるとともに、後述する設置板７３ｂに配置される。
なお、本実施の形態における導光体３２は、設置板７３ｂ（あるいは光学筐体４１）上で移動可能に設けられている。さらに説明をすると、導光体３２を挟んで設置板７３ｂとは反対側（図５（ｂ）における導光体３２の上方）に、光学筐体４１に対して固定された制限部材４１ｂが配置されている。この制限部材４１ｂの存在により、導光体３２は設置板７３ｂ（あるいは光学筐体４１）から離れる方向に移動することが制限されている。それに対して、導光体３２は、発光素子列３１ａに対して接離する方向（ＳＳ方向）には移動可能である。
【００２６】
さて、発光体の一例である発光部３１と導光体３２とを保持する保持機構１００は、装置本体の一例である光学筐体４１に内蔵して設けられる。この保持機構１００は、回路基板の一例である発光側基板３１ｂから伝わる熱を放熱する放熱板７１と、第１部分の一例であり光学筐体４１の内部面上で移動可能に設けられたブラケット７３と、支持部の一例であり光学筐体４１に設けられた軸７５と、第２部分および梃子部材の一例でありこの軸７５を中心として回転可能に設けられた梃子７７（詳細は後述する）と、付勢部の一例であり発光部３１に対して導光体３２を押しつける力を付与するスプリング７９と、放熱板７１からの熱をブラケット７３に伝える接地導体８１とを有する。なお、ブラケット７３と梃子７７とを押圧部として捉えることができる。
【００２７】
放熱部の一例である放熱板７１は、発光側基板３１ｂに沿って設けられる、例えばステンレスやアルミニウム等の金属板である。図示の例においては、放熱板７１は、発光側基板３１ｂにおいて発光素子列３１ａが固定されている面とは反対側の面に接着して設けられている。この放熱板７１には、発光素子列３１ａによって生じる熱が、発光側基板３１ｂを介して伝達される。そして、放熱板７１は、この発光側基板３１ｂから伝達された熱を外部へと放熱する。
【００２８】
ブラケット７３は、非導電性部材（例えば、ＰＰ（ポリプロピレン）、ＰＳ（ポリスチレン）、ＰＯＭ（ポリアセタール樹脂）等のプラスチック）等からなる枠体である。また、ブラケット７３は、上述のように光学筐体４１の内部面上で移動可能に設けられている。
【００２９】
また、ブラケット７３は、発光側基板３１ｂの主走査方向ＦＳにおける両端部３１ｂ１とそれぞれ対向する部分である対向部７３ａと、導光体３２を置く板である設置板７３ｂと、放熱板７１に沿って設けられる板材である押圧板７３ｃと、後述するように梃子７７の一部を押圧する押圧端７３ｄと、光学筐体４１と接触する部分である底部７３ｅとを一体として有する。なお、図示の例に置いては、導光体３２をブラケット７３の設置板７３ｂに置く構成であるが、発光側基板３１ｂに対して進退可能に設けられる構成であればよく、例えばブラケット７３を光学筐体４１に置く構成でもよい。
【００３０】
ここで、ブラケット７３を挟んでブラケット７３の底部７３ｅが接する光学筐体４１とは反対側に（図５（ａ）におけるブラケット７３の上方）、光学筐体４１に対して固定された制限部材４１ｃ（図５（ｂ）参照）が配置されている。この制限部材４１ｃの存在により、ブラケット７３は、底部７３ｅが光学筐体４１から離れる方向に移動することが制限されている。それに対して、ブラケット７３は、対向部７３ａが発光側基板３１ｂに対して接離する方向（ＳＳ方向）においては移動可能である。
【００３１】
軸７５は、光学筐体４１に固定された円柱状の部材であり、発光側基板３１ｂの主走査方向ＦＳにおける両端側にそれぞれ設けられている。
梃子７７は、軸７５を中心として回転可能（矢印Ｂ参照）に設けられた板状部材である。図５（ａ）に示すように、梃子７７における一方の端部７７ａは、それぞれ押圧端７３ｄと接触して配置される。また、梃子７７における他方の端部７７ｂは、それぞれ導光体３２の主走査方向ＦＳにおける両側の端部３２ａと接触して配置される。なお、梃子７７の他方の端部７７ｂは、発光素子列３１ａからの光を遮ることがないよう、導光体３２において発光素子列３１ａからの光が入射あるいは出射しない領域と接触するように構成されている。
【００３２】
スプリング７９は、一方の端部が発光側基板３１ｂの両端部３１ｂ１であって発光素子列３１ａが固定される側の面に接続される。また、スプリング７９の他方の端部は、ブラケット７３の対向部７３ａに接続される。スプリング７９は、圧縮ばねで構成されており、発光側基板３１ｂから対向部７３ａが離れる向きに力を加える。さらに説明をすると、図示の例においてスプリング７９は、ＳＳ方向に沿って対向部７３ａを押圧する力を加える。
【００３３】
また、図５（ｂ）において、スプリング７９は発光側基板３１ｂの下方に設けられているのに対して、発光素子列３１ａは発光側基板３１ｂの上方に設けられている。スプリング７９と発光素子列３１ａとが、それぞれ発光側基板３１ｂの上下方向における両端部側に設けられることにより、発光側基板３１ｂが歪むことが抑制される。また、例えば発光側基板３１ｂの下端が光学筐体４１に対して固定されている場合には、固定されている端部により近い発光側基板３１ｂの下方にスプリング７９を設けることで、ブラケット７３を押圧する際に発光側基板３１ｂが歪みスプリング７９の力が逃げることが抑制され、確実にブラケット７３を押圧できる。
【００３４】
接地導体８１は、導電性部材で形成され、例えばステンレスや銅によって形成されている。図５に示すように、接地導体８１は、押圧されると弾性変形して反発力を発生させる板ばね状の接触部８１ａと、放熱板７１にはんだ付けされる接合面を形成する接合部８１ｂとを備えている。なお、接地導体８１は、スプリング７９よりもばね定数が低く、変形しやすい。
【００３５】
＜梃子７７周辺の構造＞
ここで、図６を参照しながら、梃子７７周辺の構造について説明をする。図６は、梃子７７周辺の構成の一例を示す図である。なお、図６は、図５（ａ）において２つ設けられている梃子７７のうち図中上側の梃子７７を示すものであるが、同図下側の梃子７７についても同様に構成されている。
【００３６】
まず、図６に示すように、梃子７７の一方の端部７７ａにおいてブラケット７３の押圧端７３ｄに押圧される部分を被押圧部７７ａ１とし、梃子７７の他方の端部７７ｂにおいて導光体３２の端部３２ａを押圧する部分を押圧部７７ｂ１とする。ここで、本実施の形態においては、スプリング７９がブラケット７３を押圧する向き（矢印Ａ１参照、後述）と交差（直交）する方向において、被押圧部７７ａ１と軸７５と押圧部７７ｂ１とが、互いに離間してこの順番で配置されている（距離ｄ１，ｄ２参照）。
【００３７】
さらに説明をすると、梃子７７においてブラケット７３の押圧端７３ｄから力を受け力点となる被押圧部７７ａ１と、支点となる軸７５とが、受ける力の向き（矢印Ａ１参照）と交差する方向においてずれているため、梃子７７にモーメントが生じるとともに、作用点となる押圧部７７ｂ１は被押圧部７７ａ１が受ける力の向き（矢印Ａ１参照）とは反対方向（矢印Ａ２参照、後述）に移動する構成となっている。
【００３８】
また、梃子７７が回転することにともない通過する領域Ｒ内にブラケット７３の押圧端７３ｄおよび導光体３２の端部３２ａが配置されている。ここで、仮に押圧端７３ｄ、端部３２ａ、および軸７５の相対位置がずれた場合であっても、領域Ｒ内にブラケット７３の押圧端７３ｄおよび導光体３２の端部３２ａが配置されていれば、梃子７７がブラケット７３の押圧端７３ｄおよび導光体３２の端部３２ａと接触することが可能であり、梃子７７はブラケット７３から受ける力の向き（矢印Ａ１参照）とは反対方向（矢印Ａ２参照、後述）に導光体３２を押し得る。
【００３９】
＜保持機構１００の作用＞
さて、図５および図６を参照しながら保持機構１００の作用について説明をする。
まず、発光素子列３１ａから放射される光束は、空気中では距離の二乗に反比例して減衰する。したがって、例えば発光素子列３１ａの発光面と導光体３２との間に０．１〜０．２ｍｍの間隙が形成された場合、照射される原稿Ｍでの照度は大きく減少する。また、例えば発光素子列３１ａの発光面と導光体３２との距離にばらつきが生じた場合、原稿Ｍでの主走査方向ＦＳにおける照度のばらつきや、装置間での読取画質のばらつき、Ｓ／Ｎの悪化等が生じ得る。
【００４０】
図５（ａ）に示すように、本実施の形態の保持機構１００は、発光素子列３１ａの発光面と導光体３２とが互いに押しつけ合う方向に力を加えることにより、発光素子列３１ａと導光体３２とを保持する。
具体的には、上述のように発光側基板３１ｂは光学筐体４１に固定されている。この発光側基板３１ｂの両端部３１ｂ１に接続されているスプリング７９は、圧縮ばねであり、対向部７３ａを発光側基板３１ｂから離れる向き（矢印Ａ１参照）に押圧する。このことにともない、ブラケット７３の押圧端７３ｄは、梃子７７の一方の端部７７ａを押圧し、梃子７７は矢印Ｂ方向に回転する力を受ける。梃子７７が矢印Ｂ方向の回転する力を受けることにともない、梃子７７の他方の端部７７ｂは、導光体３２の端部３２ａを発光側基板３１ｂに近づける向き（矢印Ａ２参照）に押圧する。このことにより、発光側基板３１ｂに設けられた発光素子列３１ａの発光面と導光体３２とを互いに押しつける力が保持機構１００によって付与される。
【００４１】
また、スプリング７９がブラケット７３を矢印Ａ１方向に押圧することにともない、ブラケット７３の押圧板７３ｃは、接地導体８１の弾性力を介して、放熱板７１を発光側基板３１ｂ側に押圧する。このことにより、発光側基板３１ｂと放熱板７１との間隙が生じることが抑制される。なお、保持機構１００は、スプリング７９のばね圧により、発光側基板３１ｂと導光体３２と放熱板７１とを一体として保持する構成として捉えることができる。
【００４２】
また、ブラケット７３と接地導体８１とが接触していることにより、放熱板７１から接地導体８１を介してブラケット７３へ熱が伝わり、放熱板７１による放熱が促進される。
付言すると、仮に発光側基板３１ｂと放熱板７１との距離がばらつくと、放熱板７１との距離が離間している発光側基板３１ｂの部分は、放熱板７１と接触している発光側基板３１ｂの部分よりも高温となり得る。つまり、発光側基板３１ｂ内に温度分布が生じることとなる。このことにより、発光素子列３１ａの位置に応じて各発光素子（図示せず）の発熱状態が変化し得る。また、各発光素子における色度が発光初期から変化するため、読取画質の色差に影響を与え、青−黄色差が生じ得る。
【００４３】
また、発光側基板３１ｂに対して発光素子列３１ａを介して導光体３２が加える力の向きと、発光側基板３１ｂに対してスプリング７９が加える力の向きの向きは、ともに矢印Ａ２方向で一致している。したがって、発光側基板３１ｂのそれぞれの部位に対して異なる向きの力が加わる場合と比較して、発光側基板３１ｂが撓むことにより、発光素子列３１ａと導光体３２とが離間することが抑制される。
【００４４】
また、発光素子列３１ａに対して導光体３２の位置を定めるために、導光体３２を光学筐体４１に対して固定しておらず、光学筐体４１が、例えば熱等の影響により歪んだ場合であっても、発光素子列３１ａと導光体３２とが離間することが抑制される。さらに説明をすると、導光体３２の位置を固定するため例えば導光体３２にネジ穴加工等を行っておらず、加工に伴い導光体３２に歪みが生じることが抑制される。
【００４５】
＜変形例＞
次に、図７を参照しながら、本実施の形態の変形例について説明をする。
図７は、本実施の形態の変形例を示す図である。なお、図７（ａ）は、第１の変形例における保持機構１００をフロント側から見た図であり、図７（ｂ）は、第２の変形例における保持機構１００を上面側から見た図である。
【００４６】
上述の実施の形態においては、保持機構１００が、導光体３２の主走査方向ＦＳにおける両端を導光体３２の主走査方向ＦＳにおける外側から挟み込むように保持することを説明したが、光が入射あるいは出射しない導光体３２の領域と接触しながら保持する構成であれば、これに限定されない。
【００４７】
図７（ａ）に示すように、例えば、保持機構２００が、主走査方向ＦＳに延びる軸７５０と、この軸７５０を光学筐体４１に対して固定するよう支持する支持部７５１と、軸７５０の周囲を回転可能（矢印Ｃ参照）に設けられた梃子７７０とを設ける構成でもよい。ブラケット７３の押圧端７３ｄが、この梃子７７０の一方の端部７７０ａを矢印Ａ１の方向に押圧し、梃子７７０の他方の端部７７０ｂが導光体３２を矢印Ａ２方向に押圧する。この梃子７７０を、導光体３２の主走査方向ＦＳにおける端部に設けてもよいし、導光体３２の主走査方向ＦＳにおける中央部に設けてもよい。
【００４８】
また、上述の実施の形態においては、保持機構１００の梃子７７により、導光体３２を発光素子列３１ａに押圧することを説明したが、ブラケット７３の一部から矢印Ａ１方向に力を受ける被押圧部７７ａ１と、支点となる軸７５とが、矢印Ａ１方向と交差する方向においてずれている構成であれば、これに限定されない。
【００４９】
図７（ｂ）に示すように、例えば、保持機構３００が、ブラケット７３０の押圧端７３０ｄと接続部７３１を介して連続し主走査方向ＦＳにおける中央部側へ延びる移動端７３３と、この移動端７３３よりも副走査方向ＳＳの下流側に設けられ光学筐体４１に対して固定される軸７５３とを有する構成であってもよい。なお、この移動端７３３は、ブラケット７３０の押圧端７３０ｄが矢印Ａ１方向に押圧されることにともない、軸７５３に支持されながら矢印Ｄ方向に回転することにより、導光体３２を矢印Ａ２方向に押圧する。
【００５０】
＜画像読み取り装置１の動作＞
では、図１乃至図３を参照しながら、画像読み取り装置１による原稿Ｍの読み取り動作について説明する。
画像読み取り装置１に設けられた原稿固定部材６０が開けられ、本体部１０の原稿積載部５０に設けられた原稿台５２上に原稿Ｍ（図２参照）がセットされた後、原稿固定部材６０が閉じられる。その後、読み取り開始の指示を受け付けることで、原稿Ｍの読み取り動作が開始される。
【００５１】
読み取り動作の開始に伴い、読み取りユニット４０には、ケーブルユニット２５を介して、発光部３１に設けられた発光素子列３１ａを発光させるための電力が供給される。また、読み取り動作の開始に伴って駆動モータ２４が回転を開始し、基準位置Ｐ１から終了位置Ｐ２に向かい、副走査方向ＳＳに沿って読み取りユニット４０が移動していく。
【００５２】
この間、読み取りユニット４０に設けられた発光部３１から出力される光は、導光体３２を通って直接あるいは反射体３３を介して原稿台５２上の原稿Ｍに照射される。そして、原稿Ｍからの反射光が、第１ミラー３４ａ〜第５ミラー３４ｅおよびレンズ３５を介して、受光素子列３６ａに結像される。受光素子列３６ａは、上述したように主走査方向ＦＳに沿って伸びる１次元のセンサ群で構成されており、副走査方向ＳＳの１ライン毎に、主走査方向ＦＳの１ライン分の受光データを出力する。
【００５３】
このため、読み取りユニット４０が基準位置Ｐ１から移動を開始して終了位置Ｐ２に到達するまでの間、予め決められた周期を単位として、受光素子列３６ａが主走査方向ＦＳの１ライン分の受光データを順次出力することにより、原稿Ｍ１枚分の読み取りデータが得られる。そして、受光素子列３６ａから出力される読み取りデータは、受光側基板３６ｂを介してケーブルユニット２５に伝達され、ケーブルユニット２５からさらに図示しない接続機構およびインタフェース部２６（図３参照）を介して、外部の機器に伝達される。
【００５４】
なお、上述の説明では、画像読み取り装置１単体で動作することを説明したが、これに限定されない。例えば、画像読み取り装置１が、電子写真方式、静電記録方式、画像形成方式を採用し、カラーや白黒の画像を形成する複写機、プリンタ、ファクシミリ等の画像形成装置に設けられ、この画像形成装置における画像形成動作とともに動作するように構成してもよい。
【符号の説明】
【００５５】
１…画像読み取り装置、１０…本体部、２０…読み取り部、３０…光学系、３１ａ…発光素子列、３１ｂ…発光側基板、３２…導光体、７１…放熱板、７３…ブラケット、７５…軸、７７…梃子、７９…スプリング、８１…接地導体
【図１】
0005924061.tif 000002
【図２】
0005924061.tif 000003
【図３】
0005924061.tif 000004
【図４】
0005924061.tif 000005
【図５】
0005924061.tif 000006
【図６】
0005924061.tif 000007
【図７】
0005924061.tif 000008